(57)【特許請求の範囲】
【請求項１】
一対の羽根板を有し、少なくとも一方の羽根板は調整板と基礎板を備え、調整板は、他方の羽根板に対して揺動可能に取り付けられていると共に基礎板と接し、さらに外部からの操作によって調整板の移動が可能である調整蝶番において、調整板を移動させる部材又は部位が表側と裏側の双方に露出し、当該部材又は部位を表側と裏側の双方から操作可能であり、当該部材又は部位を操作すると、調整板は基礎板に対して突出又は引き込み方向に移動することを特徴とする調整蝶番。
【請求項２】
一対の羽根板を有し、少なくとも一方の羽根板は調整板と表側基礎板と裏側基礎板と調整部材を備え、調整板は、他方の羽根板に対して揺動可能に取り付けられていると共に二枚の基礎板の間に挟まれ、調整部材は基礎板の少なくとも一方及び調整板と係合し、調整部材を外部から操作することにより基礎板に対する突出又は引き込み方向への調整板の移動が可能である調整蝶番において、調整部材は表側と裏側の双方から操作可能であることを特徴とする調整蝶番。
【請求項３】
調整部材はカム又は歯車であり、調整部材の表側と裏側の双方に工具が係合する係合部が設けられ、当該係合部が表側基礎板と裏側基礎板のそれぞれから露出していることを特徴とする請求項２に記載の調整蝶番。
【請求項４】
基礎板と調整板を締結すると共に工具が係合する係合部を備えた締結要素を有し、表側と裏側の双方に締結要素の係合部が露出していて表側と裏側の双方から基礎板と調整板を締結可能であることを特徴とする請求項１乃至３のいずれかに記載の調整蝶番。
【請求項５】
一対の羽根板を有し、少なくとも一方の羽根板は調整板と基礎板を備え、外部から調整板を操作し、当該調整板を基礎板に対して突出又は引き込み方向に移動可能である調整蝶番において、調整板を基礎板に固定すると共に工具が係合する係合部を備えた締結要素を有し、表側と裏側の双方に締結要素の係合部が露出していて表側と裏側の双方から基礎板と調整板を締結可能であることを特徴とする調整蝶番。
【請求項６】
締結要素は、両端に係合部を備えたネジであることを特徴とする請求項４又は５に記載の調整蝶番。
【請求項７】
表側基礎板と裏側基礎板を有し、基礎板の一方には雌ねじが設けられ、基礎板の他方には孔が設けられ、締結要素は基礎板の一方に設けられた孔に挿入され、さらにネジ部が他方の基礎板の雌ねじと係合していることを特徴とする請求項６に記載の調整蝶番。
【請求項８】
締結要素は複数のネジであり、１又は２以上のネジが一方の基礎板側から他方の基礎板側に向かって挿通され、他のネジは逆に他方の基礎板側から一方の基礎板側に向かって挿通されていることを特徴とする請求項５に記載の調整蝶番。
【請求項９】
調整板が設けられた羽根板は、ピン又はピンが挿通される管部を有し、当該ピン又は管部の中心は調整板が設けられた羽根板の厚さ方向の中心軸の延長上にあることを特徴とする請求項１乃至８に記載の調整蝶番。
【発明の詳細な説明】
【０００１】
【産業上の利用分野】
本発明は、扉を扉枠に取り付ける蝶番に関し、詳しくは扉の取付位置を微調整できるようにした調整蝶番に関するものである。
【０００２】
【従来の技術】
扉を開閉可能に取り付ける部材として、蝶番が使用される。旧来の蝶番は、一対の羽根板を軸を介して揺動可能に結合したものに過ぎなかったが、近年、扉を戸枠に取り付けた状態で扉の位置を微調整することができる調整蝶番が開発されている。
【０００３】
調整蝶番の代表例として実開平８−１０１９号公報に開示されたものが知られている。実開平８−１０１９号公報に開示された調整蝶番では、一方の羽根板が箱体と位置調整部によって構成され、位置調整部は箱体内に配されていて移動可能である。そして箱体内にはカムが内蔵されており、当該カムは箱体と位置調整部間の双方と係合している。またカムの一面にネジ回しが係合する係合部が設けられ、この係合部が箱体の表面に設けられた孔から外部に露出している。
【０００４】
調整蝶番は、箱体側の羽根板を扉に取付け、他方を戸枠側に取り付けて使用する。そして表面側に露出したカムの係合部をネジ回しで回転し、扉の位置を微調整する。
従来技術の調整蝶番は、カムを使用したものの他、歯車を使用したものも知られているが、いずれの調整蝶番も、図１５（ｂ）の様にピン１０２ｃ，１０４ｃが可動側の羽根板に対して偏心した位置にある。すなわち従来技術の調整蝶番では、可動側の羽根板の中心線は、ピンの中心を通らない。
【０００５】
【発明が解決しようとする課題】
ところで、扉には左右の勝手がある。扉の勝手について図１５を参照しつつ、簡単に解説する。
例えば、図１５（ａ）の様な観音開きの扉１００を想定すると、引き方向の位置Ａに立って扉を見たとき、右手側の扉１０１は扉１０１の右端に蝶番１０２が取り付けられている。この様な扉を「右勝手の扉」という。
これに対して位置Ａに立って、左側に位置する扉１０３は扉１０３の左端に蝶番１０４が取り付けられている。この様な扉を「左勝手の扉」という。
【０００６】
ここで蝶番の一形式として、当業者の間で旗蝶番と称されるものがある。旗蝶番とは、一対の羽根板１０２ａ，１０２ｂ、又は１０４ａ，１０４ｂをピン１０２ｃ，１０４ｃで結合したものであり、羽根板１０２ａ，１０２ｂ、又は１０４ａ，１０４ｂを分離することができる。
このような旗蝶番を使用して扉１０１，１０３を取り付ける場合は、図１５（ｃ）の様に扉１０１，１０３側の羽根板１０２ａ，１０４ａを、戸枠１１０側の羽根板１０２ｂ，１０４ｂに対して常に上側に取り付けなければならない。すなわち旗蝶番と称される蝶番は、一対の羽根板１０２ａ，１０２ｂ、又は１０４ａ，１０４ｂがピン１０２ｃ，１０４ｃだけと結合されており、ピン１０２ｃ，１０４ｃは羽根板の一方に固定されているが、他方の羽根板はピン１０２ｃ，１０４ｃに対して固定されていない。そのため一対の羽根板１０２ａ，１０２ｂ、又は１０４ａ，１０４ｂは、一方の羽根板がピンから抜ける。従って誤って扉１０１，１０３側の羽根板１０２ａ，１０４ａを、戸枠側の羽根板１０２ｂ，１０４ｂに対して下側に取り付けると、羽根板１０２ｂ，１０４ｂがピン１０２ｃ，１０４ｃから抜けて扉１０１．１０３自体が落下してしまう。
そのため旗蝶番は、一般に右勝手用と左勝手用がある。
【０００７】
従って、調整蝶番においても、旗蝶番の形式を採用する場合には、右勝手用と左勝手用の二種類のものが存在する。
しかしながら、右勝手の扉と左勝手の扉が存在するという事実や、上記した左右勝手の見分け方は、一般には周知されておらず、混乱が多い。そのため使用者や販売者が蝶番の種類を間違い易い。また製造者や販売者は、右勝手用の蝶番と左勝手用の蝶番の二種類を製造・在庫しなければならず、煩雑である。
【０００８】
そこで本発明は、従来技術の上記した問題を解決するため、左右勝手の扉に対して併用できる調整蝶番の開発を課題とするものである。
【０００９】
【課題を解決するための手段】
そして上記した課題を解決するための請求項１に記載の発明は、一対の羽根板を有し、少なくとも一方の羽根板は調整板と基礎板を備え、調整板は、他方の羽根板に対して揺動可能に取り付けられていると共に基礎板と接し、さらに外部からの操作によって調整板の移動が可能である調整蝶番において、調整板を移動させる部材又は部位が表側と裏側の双方に露出し、当該部材又は部位を表側と裏側の双方から操作可能であり、当該部材又は部位を操作すると、調整板は基礎板に対して突出又は引き込み方向に移動することを特徴とする調整蝶番である。
ここで「露出」とは、突出するという意味ではなく、外部から覗き見える状態をさす。
【００１０】
本発明の調整蝶番は、調整板を基礎板に対して突出又は引き込み方向に移動させる部材又は部位が表側と裏側の双方に露出し、表板側と裏板側の双方から操作可能である。そのため本発明の調整蝶番は、裏返しにしても使用することができる。そのため本発明の調整蝶番は、左右の勝手の異なる扉に併用することができる。
【００１１】
さらに同様の課題を解決するための請求項２に記載の調整蝶番は、一対の羽根板を有し、少なくとも一方の羽根板は調整板と表側基礎板と裏側基礎板と調整部材を備え、調整板は、他方の羽根板に対して揺動可能に取り付けられていると共に二枚の基礎板の間に挟まれ、調整部材は基礎板の少なくとも一方及び調整板と係合し、調整部材を外部から操作することにより基礎板に対する突出又は引き込み方向への調整板の移動が可能である調整蝶番において、調整部材は表側と裏側の双方から操作可能であることを特徴とする調整蝶番である。
【００１２】
本発明の調整蝶番についても、調整部材は表側と裏側の双方から操作可能である。そのため本発明の調整蝶番は、裏返しにしても使用することができる。そのため本発明の調整蝶番は、左右の勝手の異なる扉に併用することができる。
【００１３】
また請求項３に記載の発明は、調整部材はカム又は歯車であり、調整部材の表側と裏側の双方に工具が係合する係合部が設けられ、当該係合部が表側基礎板と裏側基礎板のそれぞれから露出していることを特徴とする請求項２に記載の調整蝶番である。
【００１４】
本発明の調整蝶番では、調整部材にカム又は歯車を採用している。また調整部材の表側と裏側の双方に工具が係合する係合部が設けられ、当該係合部が表側と裏側から露出している。そのためこれらを回転することにより、扉の位置調整を行うことができる。
【００１５】
また請求項４に記載の発明は、基礎板と調整板を締結すると共に工具が係合する係合部を備えた締結要素を有し、表側と裏側の双方に締結要素の係合部が露出していて表側と裏側の双方から基礎板と調整板を締結可能であることを特徴とする請求項１乃至３のいずれかに記載の調整蝶番である。
【００１６】
さらに請求項５に記載の発明は、一対の羽根板を有し、少なくとも一方の羽根板は調整板と基礎板を備え、外部から調整板を操作し、当該調整板を基礎板に対して突出又は引き込み方向に移動可能である調整蝶番において、調整板を基礎板に固定すると共に工具が係合する係合部を備えた締結要素を有し、表側と裏側の双方に締結要素の係合部が露出していて表側と裏側の双方から基礎板と調整板を締結可能であることを特徴とする調整蝶番である。
【００１７】
前記した請求項４，５に記載の調整蝶番は、表側と裏側の双方に締結要素の係合部が露出している。そのため本発明の調整蝶番では、表側と裏側の双方から調整板を固定することができ、左右の勝手の異なる扉に併用することができる。
【００１８】
また請求項６に記載の発明は、締結要素は、両端に係合部を備えたネジであることを特徴とする請求項４又は５に記載の調整蝶番である。
【００１９】
本発明の調整蝶番では、締結要素として、両端に係合部を備えたネジを採用する。そのため表側と裏側の双方から締結要素を回転することができる。
【００２０】
また請求項７に記載の発明は、表側基礎板と裏側基礎板を有し、基礎板の一方には雌ねじが設けられ、基礎板の他方には孔が設けられ、締結要素は基礎板の一方に設けられた孔に挿入され、さらにネジ部が他方の基礎板の雌ねじと係合していることを特徴とする請求項６に記載の調整蝶番である。
【００２１】
本発明の調整蝶番は、では表側基礎板側に締結要素の一方の端部が露出し、裏側基礎板側に他方の端部が露出する。そして締結要素として、両端に係合部を備えたネジであるから、表側と裏側の双方に係合部が露出し、双方から締結要素を回転して調整板を固定することができる。
【００２２】
さらに請求項８に記載の発明は、締結要素は複数のネジであり、１又は２以上のネジが一方の基礎板側から他方の基礎板側に向かって挿通され、他のネジは逆に他方の基礎板側から一方の基礎板側に向かって挿通されていることを特徴とする請求項５に記載の調整蝶番である。
【００２３】
本発明の調整蝶番は、複数のネジによって構成され、あるネジは一方に係合部が露出し、他のネジは他方側に係合部が露出する。そのため表側と裏側の双方に係合部が露出し、双方から締結要素を回転して調整板を固定することができる。
【００２４】
また請求項９に記載の発明は、調整板が設けられた羽根板は、ピン又はピンが挿通される管部を有し、当該ピン又は管部の中心は調整板が設けられた羽根板の厚さ方向の中心軸の延長上にあることを特徴とする請求項１乃至８に記載の調整蝶番である。
【００２５】
本発明の調整蝶番では、ピン又管部の中心が調整板が設けられた羽根板の厚さ方向の中心軸の延長上にある。そのため本発明の調整蝶番は、調整板が設けられた羽根板が左右対象であり、裏返しにしても寸法が同一である。
【００２６】
【実施例】
（第１実施例）
以下さらに本発明の実施例について説明する。なお、以下の説明において、「天地」や「水平」と表現する場合は、いずれも調整蝶番を扉と戸枠に取り付けた状態を基準とする。
図１は、本発明の第１実施例の調整蝶番の正面図及び裏面図であり、右勝手の扉に使用する状態と左勝手の扉に使用する状態を示す。図２は、図１の調整蝶番の可動側羽根板の分解斜視図である。図３は、図１の実施例で採用する締結要素の正面図、平面図及び底面図である。図４は、図１の実施例で採用する調整部材の正面図、平面図及び左右側面図である。図５は、表側基礎板を外した状態における図１の調整蝶番の正面図であり、調整板が最も基礎板側に引き込んだ状態を示す。図６は、表側基礎板を外した状態における図１の調整蝶番の正面図であり、調整板が最も基礎板側から飛び出した状態を示す。図７は、図１の調整蝶番の中心部における平面断面図である。図８は、図１の締結要素の部位における平面断面図および当該部位を矢印方向から見た図である。図９は、図８の要部の拡大図である。図１０は、図１の調整蝶番の可動側羽根板の中心部における縦断面図である。
【００２７】
本実施例に係る調整蝶番１は、一対の羽根板２，３を有し、両者をピン５によって揺動可能に結合したものである。一対の羽根板２，３は、一方が戸枠に固定される固定側であり、他方が扉に取り付けられる可動側である。
一対の羽根板２，３の内、固定側羽根板３は、通常の蝶番と略同一のものであり、鋼板をプレスして作られ、本体部の一端の中央部に管状部６が設けられている。
また固定側羽根板３の本体部には、７個の孔７が設けられている。これらの孔７は、いずれもざぐり加工がなされているが、７個の孔７の内、５個の孔は、表側から裏側に向かってネジを挿通する方向に設けられており、他の２個のざぐりは、逆に裏側が表側に向かってネジを挿通する方向に設けられている。
【００２８】
これに対して可動側羽根板２は、図２の様に調整板１０、基礎板１１，１２、ガイド部材１３、調整カム４０等を有し、調整板１０を左右（扉の前後方向）に移動させることができる。
【００２９】
順次説明すると、調整板１０は鋼板をプレスして作られたものであり、本体部１４の一端の上半分の部位に管状部１６が設けられている。管状部１６は、本体部１４の端部を巻き込んで管状に加工したものである。そして管状部１６の中にはピン５が上下移動可能に挿通されている。また管状部１６の内部には、図示しない雌ねじ加工が施されており、当該雌ねじにネジ１７が係合している。そのためネジ１７によってピン５の移動が阻止されている。本実施例の調整蝶番１は、管状部１６内のネジ１７を締め込み、又は緩めることにより、ピン５の出寸法が変化し、羽根板２，３の高さ方向の相対位置を調整することができる。
【００３０】
調整板１０の本体部１４は、管状部１６の反対側の部位がやや幅狭く加工されている。すなわち調整板１０の本体部１４は、遊端側の幅が管状部１６側に比べて短い。遊端側の上下の辺１４ａ，１４ｂは互いに平行である。
本体部１４の中央には、長さ（天地）方向に長い長円形の作動孔１５が設けられている。この作動孔１５内に後述する調整カム４０のカム本体４１が回動自在に収納される。作動孔１５を挟んで本体部１４の上下位置には、長孔１８，１９が幅（水平）方向に長く形成されている。長孔１８，１９の作動孔１５に対する距離は互いに等しい。
【００３１】
表側基礎板１１及び裏側基礎板１２は、同一の構成であるから、代表して表側基礎板１１の構成を説明する。
表側基礎板１１は調整板１０の表面に接して摺動可能に接合されるものである。表側基礎板１１は鋼板に孔加工及びネジ加工が施されたものである。表側基礎板１１は、前記した調整板１０の本体部１４よりも天地方向の長さが長く、表側基礎板１１に調整板１０の本体部１４を重ねた時、表側基礎板１１の上下の部位が調整板１０から食み出し、この食み出している上下部２１，２２の四隅に取付孔２４が設けられている。
また表側基礎板１１の中心には、軸受け孔２５が設けられている。当該軸受け孔２５は、貫通孔であり、調整カム４０の裏側に突設した回動軸４２を嵌挿する軸受として機能する。
【００３２】
またこの軸受け孔２５の上下には雌ネジ孔２６と貫通孔２７が設けられている。貫通孔２７は、いわゆる馬鹿孔である。
図２に示した表側基礎板１１では、孔２５の上部に雌ネジ孔２６が一個設けられ、下部側に貫通孔２７が一個設けられている。なお図２に示した裏側基礎板１２では、逆に軸受け孔２５の下部側に雌ネジ孔２６が設けられ、上部側に貫通孔２７が設けられているが、これは単に表側基礎板１１を天地逆に置き換えたに過ぎない。
雌ネジ孔２６と貫通孔２７の軸受け孔２５からの距離は等しい。そのため表側基礎板１１を天地逆にしたとき、雌ネジ孔２６のあった場所に貫通孔２７が位置し、貫通孔２７があった場所に雌ネジ孔２６が位置する。
前記した雌ネジ孔２６と貫通孔２７は、いずれも前記した調整板１０の長孔１８，１９と連通する。
【００３３】
ガイド部材１３は、「コ」の字状をした部材であり、一方が開口している。ガイド部材１３の上下の辺には、表側基礎板１１及び裏側基礎板１２の取付孔２４と連通する取付孔３５が４箇所に穿設されている。ガイド部材１３の外寸法は、表側基礎板１１及び裏側基礎板１２と等しい。
ガイド部材１３の「コ」の字状の内側の天地方向の辺は平行であり、前記した調整板１０の幅に等しい。
ガイド部材１３の厚さは、調整板１０のそれと等しい。
【００３４】
調整カム（調整部材）４０は、円盤状のカム本体４１と、カム本体４１の両端に偏心して突設した回動軸４２，４３とから構成される。カム本体４１の厚さは前記した調整板１０の厚さと同じであり、カム本体４１の直径は作動孔１５の短径よりも若干短く、カム本体４１は作動孔１５内で回動できる。
カム本体４１の表側に突設した回動軸４２と裏側に突設した回動軸４３とは同軸かつ同径であり、側面の接線はカム本体４１の側面の接線と連続する。また各回動軸４２，４３の長さは、表側基礎板１１及び裏側基礎板１２の厚さと略等しい。そして調整カム（調整部材）４０の全長Ｃは、表側基礎板１１、調整板１０及び裏側基礎板１２の合計に等しい。
調整カム４０の両面、より詳しくは、回動軸４２，４３の端面にはネジ回しの先端部と嵌合する溝や六角レンチと嵌合する六角孔のような係合部４４，４５が形成されている。本実施例では、係合部４４，４５の形状として十字溝を採用している。
【００３５】
締結要素５０はネジであり、ネジ部５２の一端に円盤状の傘部５１が設けられた構造をしている。傘部５１の外径は、前記した基礎板１１，１２の貫通孔２７よりも小さい。
また締結要素５０の両端には、ネジ回しの先端部と嵌合する溝や六角レンチと嵌合する六角孔のような係合部５３，５５が形成されている。本実施例では、係合部５３，５５の形状として十字溝を採用している。
【００３６】
次に、本実施例の調整蝶番１の各部材同士の関係について説明する。
本実施例の調整蝶番１では、可動側の羽根板２は、表側基礎板１１と、裏側基礎板１２の間にガイド部材１３と調整板１０が挟まれて構成されている。ただし表側基礎板１１と裏側基礎板１２は、天地方向が逆になっており、表側基礎板１１ではネジ孔２６が上に位置し、裏側基礎板１２では、貫通孔２７が上に位置する。
【００３７】
ここで調整板１０の本体部１４は、遊端側の幅が狭く、当該部位の幅は、ガイド部材１３の内幅と等しい。またガイド部材１３の外寸法は、表側基礎板１１及び裏側基礎板１２と等しい。また調整板１０とガイド部材１３の厚さは互いに等しい。そのため羽根板２が組み立てられた状態の時、調整板１０とガイド部材１３は同一平面に位置し、調整板１０の本体部１４の上下の辺１４ａ，１４ｂにガイド部材１３の内側の部位が接する。従って調整板１０は、ガイド部材１３によって斜め方向の移動が規制され、調整板１０はガイド部材１３にガイドされて横方向（扉に取り付けた状態では扉の前後方向）にのみ移動可能となる。
【００３８】
また可動側の羽根板２内には、調整カム４０が内蔵される。調整カム４０は、円盤状の本体部４１が調整板１０の作動孔１５内に配されている。そして調整カム４０の表面側の回動軸４２が表側基礎板１１の軸受け孔２５に挿入される。一方調整カム４０の裏面側の回動軸４３は、裏側基礎板１２の軸受け孔２５に挿入されている。従って調整カム４０は、作動孔１５を介して調整板１０と係合し、軸受け孔２５を介して表側基礎板１１及び裏側基礎板１２と係合している。
【００３９】
ここで調整カム４０の全長Ｃは、表側基礎板１１、調整板１０及び裏側基礎板１２の合計に等しいので、調整カム４０の回動軸４２，４３の端面は、図７，８に示すように各基礎板１１，１２の露出面と同一面となっている。このように本実施例では、回動軸４２，４３の端面を基礎板１１，１２の露出面と同一面としたが、回動軸４２，４３の端面は基礎板１１，１２の露出面よりも奥に位置していてもよい。
【００４０】
前記した各基礎板１１，１２に設けられた軸受け孔２５は貫通孔であるから、調整カム４０の回動軸４２，４３の端面は、外部に露出する。すなわち回動軸４２，４３の端面は、外部から覗き見える状態となっている。また回動軸４２，４３の端面には、係合部４４，４５が形成されている。従って、表面側及び裏面側から軸受け孔２５にネジ回し等を差し込んで、調整カム４０を回転させることができる。
【００４１】
また締結要素５０は、一方の基礎板の貫通孔２７側から挿入し、調整板１０の長孔１８，１９を貫通して他方の基礎板の雌ねじ孔２６と係合する。より具体的には、図２の様に可動側の羽根板２の上部においては、裏側基礎板１２側から貫通孔２７に締結要素５０を挿通し、調整板１０の長孔１８を経て表面側基礎板１１の雌ねじ孔２６と係合させる。
逆に可動側羽根板の下部においては、表側基礎板１１側から貫通孔２７に締結要素５０を挿通し、調整板１０の長孔１９を経て裏側基礎板１２の雌ねじ孔２６と係合させる。
従って表側基礎板１１では、上部に締結要素５０のネジ部５２に設けられた係合部５５が露出し、下部では、締結要素５０の傘部５１に設けられた係合部５３が露出する。
なお貫通孔２７の径は、締結要素５０の傘部５１の外径よりも大きいので、締結要素５０の傘部５１は直接的に調整板１０の長孔１８，１９部分と接する。
【００４２】
次に本実施例の調整蝶番の使用方法について説明する。
本実施例の調整蝶番１を右勝手の扉に使用する場合は、図１（ａ）の様に戸枠５７側に固定側羽根板３を取付け、扉の端面５６に可動側羽根板２を取り付ける。可動側羽根板２の取付けは、四隅の取付け孔２４に木ねじ等を挿通して行う。
なおこの時、締結要素５０はやや緩めた状態としておく。
本実施例の調整蝶番１を右勝手の扉５６に使用する場合は、図１（ａ）の様に裏側基礎板１２を扉５６の端面と接する様に取付け、表側基礎板１１を表面側に露出させる。
【００４３】
そして戸枠５７に取り付けられた固定側羽根板３の管状部６に、可動側羽根板２から突出したピン５を挿通し扉５６が戸枠５７に蝶着する。
【００４４】
続いて表側基礎板１１側に露出した回動軸４２の係合部４４に、ネジ回しなどの先端部を差込み、ネジ回しを回動することによって、調整カム４０が回動軸４２，４３を中心に回動する。調整カム４０が回動すると、カム本体４１の側面が作業孔１５の側面を押圧し、調整板１０は横方向に移動し、扉５６は前後方向に移動する。より具体的には、図６の様に調整板１０が引き込んで「Ｗ」の長さが小さい状態から、図５の様に調整板１０が突出して「Ｗ」の長さが大きい状態まで、間を任意に調整することができ、扉５６の前後方向の位置決めを行うことができる。なお締結要素５０は調整板１０を貫通しているが、締結要素５０の貫通部位には長孔１８，１９が設けられているので、締結要素５０は調整板１０を移動させる際の障害とはならない。
【００４５】
扉５６の位置決め作業が終了すると、表側から締結要素５０を締めつける。すなわち下部の締結要素５０は、図１（ａ）の様に傘部５１側が表面に露出しているので、係合部５３にネジ回し等を係合させ、傘部５１側の係合部５３を時計回りに回転する。ここで締結要素５０は、ネジ部５２が裏側基礎板１２のネジ孔２６と係合しているので、締結要素５０は、裏側基礎板１２の方向に向かって進行し、傘部５１が調整板１０の長孔１９を押圧し、調整板１０を裏側基礎板１２に対して固定する。
【００４６】
一方、上部の締結要素５０については、ネジ部５２の先端に設けられた係合部５５が露出している。
そして上部の締結要素５０についても、先と同様にネジ回し等を係合させてネジ部５２側の係合部５５を回転させるが、回転方向は、前記の場合とは逆であり、反時計方向に回転させる。
すなわち上部の締結要素５０については、表側基礎板１１に設けられたネジ孔２６と係合しているので、ネジ部５２側を反時計方向に回転させることにより、締結要素５０は、表側基礎板１１に対してより締め込みが進む状態となる。
そのため裏面側の傘部５１が調整板１０の長孔１８部分を裏面側から表側基礎板１１に向かって押圧し、調整板１０を表側基礎板１１に対して固定する。
その結果、調整板１０は、表側基礎板１１と裏側基礎板１２に対して強固に固定される。
締結要素５０による固定が終了すると、木ねじを増し締めして可動側羽根板２をより完全に扉５６に固定する。
【００４７】
次に、本実施例の調整蝶番１を左勝手の扉に使用する場合について説明する。
本実施例の調整蝶番を左勝手の扉に使用する場合は、図１（ｂ）に示すように、可動側羽根板２を裏返しにして扉６０の端面に取り付ける。すなわち本実施例の調整蝶番１を左勝手の扉６０に使用する場合は、図１（ｂ）の様に表側基礎部材１１を扉６０の端面と接する様に取付け、裏側基礎部材１２を表面側に露出させる。
ここで本実施例の調整蝶番１は、図８の様に、可動側羽根板２の管状部１６の中心が、可動側羽根板２全体の中心線上に設けられている。そのため本実施例の調整蝶番１は、平面視したときに中心軸対称であり、裏返しにしても管状部１６の位置関係は変わらない。
【００４８】
そして本実施例の調整蝶番１は、裏返しにしても、調整カム４０の回動軸４３に設けられた係合部４５及び締結要素５０の係合部５３，５５が外部に露出する。
【００４９】
すなわち本実施例の調整蝶番１では、調整カム４０のカム本体４１の両面から回動軸４２，４３が突出し、その一方は裏側基礎板１２に設けられた軸受け孔２５に挿通されていて、裏側基礎板側１２から回転可能である。
一方、締結要素５０は、上部についてはネジ部５２の係合部５５が裏側基礎板側１２に露出し、下部については傘部５１側の係合部５３が裏側基礎板側１２に露出する。
そのため本実施例の調整蝶番１は、裏返しにしても、調整カム４０の回動軸４３に設けられた係合部４５及び締結要素５０の係合部５３，５５が外部に露出し、調整カム４０の回動や調整板１０の固定を外部から行うことができる。
【００５０】
本発明の調整蝶番１を左勝手の扉に使用する際の固定方法、及び調整方法は、右勝手の扉の場合と同一であるから、説明を省略する。
【００５１】
（実施例２）
次に本発明の第２の実施例について説明する。なお以下の実施例の中で、先の実施例の部材と同一の部材は、図面に同一の番号を付して詳細な説明を省略する。
図１１は、本発明の第２の実施例の調整蝶番の可動側羽根板の分解斜視図である。図１２は、図１１の調整蝶番の可動側羽根板の中心部における縦断面図である。
【００５２】
前記した第１実施例の調整蝶番１は、締結要素に特殊な構造のネジを使用したが、本実施例は、汎用のネジを使用して同様の効果を発揮させるものである。
すなわち第２実施例の調整蝶番７０は、調整板１０'に４個の長孔１８，１８'，１９，１９'を設け、対する基礎板１１'，１２'にもこれに対応して各２個づつのネジ孔２６と貫通孔２７を設けたものである。
【００５３】
そして本実施例の調整蝶番７０では、４本の通常構造のネジ６１ａｂｃｄを使用し、いずれも基礎板の貫通孔２７側から挿入し、調整板１０の長孔１８，１８'，１９，１９'を貫通して他方の基礎板の雌ねじ孔２６と係合させる。
各ネジ６１ａｂｃｄは、頭部が調整板１０'の長孔１８，１８'，１９，１９'部分と当接し、調整板１０'を基礎板１１'，１２'に対して固定することができる。
また各ネジ６１ａｂｃｄの内の二本づつが各基礎板１１'，１２'の表面側に露出するので、本実施例の調整蝶番７０についても、表側と裏側の双方から調整板１０'を固定することができる。
【００５４】
以上説明した第１実施例及び第２実施例の調整蝶番１，７０では、いずれも基礎板１１，１１'，１２，１２'に馬鹿孔を設けてネジの傘部５１又は頭部を直接的に調整板１０．１０'に接触させたが、馬鹿孔に代えてざぐり孔を採用し、二つの基礎板で調整板を挟み付けることによって調整板を固定してもよい。
【００５５】
（実施例３，４）
次に本発明の第３，４の実施例について説明する。
図１３は、本発明の第３の実施例の調整蝶番の可動側羽根板の分解斜視図である。図１４は、本発明の第４の実施例の調整蝶番の可動側羽根板の分解斜視図である。
前記した二つの実施例は、いずれも表側基礎板と裏側基礎板を持つものであるが、基礎板は必ずしも２枚必要ではなく、ただ一枚の基礎板であっても本発明は実現可能である。
すなわち本実施例の調整蝶番７２では、調整板７３の裏面に、長孔状の凹部７４を設け、さらに中心部に貫通孔７５を設けている。そして調整カム４０は、調整部材７３の裏面の長孔７４内に配し、回動軸４３を調整板７３の貫通孔７５に挿入する。
本実施例の調整蝶番７２は、表側基礎板を持たず、調整板７３が直接外部にら露出する。そのため表面側から貫通孔７５を介して直接調整カム４０を回転することができる。
また裏面側からは、先の実施例と同様に軸受け孔２５を介して調整カム４０を回転することができる。
【００５６】
さらに図１４に示す第３の実施例は、調整カム７９の回動軸７６，７７を互いに偏心位置に設け、一方の回動軸７６を裏側基礎板７８の軸受け孔２５に挿通し、他方の回動軸７６を調整板８０に設けた細長い長孔８１に挿通したものである。
【００５７】
また裏側基礎板７８には十分に大きい凹部８２が設けられ、調整カム７９の本体部分（本実施例では本体部はカムとして機能しない）が配される。
本実施例の調整蝶番についても裏表の両面から調整カム７９を回転させることができ、調整カム７９の回転に応じて調整板８０が移動する。
【００５８】
以上説明した実施例では、いずれも調整部材としてカムを例示したが、他に歯車やクランクを活用しても同様の作用効果を有するものが実現可能である。
また以上説明した実施例では、ガイド部材が基礎板から独立しているが、ガイド部材と基礎板は一体のものであってもよい。
【００５９】
【発明の効果】
以上説明した様に、本発明の調整蝶番は、裏返しにしても使用することができ、左右の勝手の異なる扉に併用することができる。そのため本発明の調整蝶番は、勝手を間違うことによる混乱が解消される効果がある。また本発明の調整蝶番は、互換性が高く、製造や販売における在庫を少なくすることができる効果がある。
【図面の簡単な説明】
【図１】  本発明の第１実施例の調整蝶番の正面図及び裏面図であり、右勝手の扉に使用する状態と左勝手の扉に使用する状態を示す。
【図２】  図１の調整蝶番の可動側羽根板の分解斜視図である。
【図３】  図１の実施例で採用する締結要素の正面図、平面図及び底面図である。
【図４】  図１の実施例で採用する調整部材の正面図、平面図及び左右側面図である。
【図５】  表側基礎板を外した状態における図１の調整蝶番の正面図であり、調整板が最も基礎板側に引き込んだ状態を示す。
【図６】  表側基礎板を外した状態における図１の調整蝶番の正面図であり、調整板が最も基礎板側から飛び出した状態を示す。
【図７】  図１の調整蝶番の中心部における平面断面図である。
【図８】  図１の締結要素の部位における平面断面図および当該部位を矢印方向から見た図である。
【図９】  図８の要部の拡大図である。
【図１０】  図１の調整蝶番の可動側羽根板の中心部における縦断面図である。
【図１１】  本発明の第２の実施例の調整蝶番の可動側羽根板の分解斜視図である。
【図１２】  図１１の調整蝶番の可動側羽根板の中心部における縦断面図である。
【図１３】  本発明の第３の実施例の調整蝶番の可動側羽根板の分解斜視図である。
【図１４】  本発明の第４の実施例の調整蝶番の可動側羽根板の分解斜視図である。
【図１５】  扉の勝手違いを説明する説明図である。
【符号の説明】
１，７０，７２  調整蝶番
２  可動側羽根板
３  固定側羽根板
５  ピン
１０，１０'，７３，８０  調整板
１１，１１'表側基礎板
１２，１２'，７８  裏側基礎板
１３  ガイド部材
１５  作動孔
１６  管状部
２５  軸受け孔
２６  ネジ孔
２７  貫通孔
４０，７９  調整カム
４１  カム本体
４２，４３，７６，７７  回動軸
５０  締結要素
５１  傘部
５２  ネジ部
５３  係合部
５５  係合部
６１  ネジ
７４  凹部
７５  貫通孔
【図１】
0004440434.tif 000002
【図２】
0004440434.tif 000003
【図３】
0004440434.tif 000004
【図４】
0004440434.tif 000005
【図５】
0004440434.tif 000006
【図６】
0004440434.tif 000007
【図７】
0004440434.tif 000008
【図８】
0004440434.tif 000009
【図９】
0004440434.tif 000010
【図１０】
0004440434.tif 000011
【図１１】
0004440434.tif 000012
【図１２】
0004440434.tif 000013
【図１３】
0004440434.tif 000014
【図１４】
0004440434.tif 000015
【図１５】
0004440434.tif 000016